(57)【要約】【課題】デザイン性に優れるとともに、薬剤の残存量を視認しやすい空気清浄剤を提供すること。【解決手段】消臭性及び／又は芳香性を有する物質を含有する透明な液体２と、この液体２中に浸漬した吸水性樹脂からなる粒状体１ａ、１ｂとからなる空気清浄剤であって、吸水性樹脂からなる粒状体１ａ、１ｂを、液体２と同色の透明な粒状体１ａと、液体とは異なる色の粒状体１ｂとを、所定の割合で混合してなる。【選択図】図１
2008043403.tif 000002
【特許請求の範囲】
【請求項１】
消臭性及び／又は芳香性を有する物質を含有する透明な液体と、該液体中に浸漬した吸水性樹脂からなる粒状体とからなる空気清浄剤であって、前記吸水性樹脂からなる粒状体を、前記液体と同色の透明な粒状体と、前記液体とは異なる色の粒状体とを、所定の割合で混合してなることを特徴とする空気清浄剤。
【請求項２】
前記液体と、該液体と同色の粒状体とが、無色であることを特徴とする請求項１記載の空気清浄剤。
【発明の詳細な説明】
【技術分野】
【０００１】
本発明は、消臭及び／又は芳香機能を備えた空気清浄剤に関し、特に、消臭性及び／又は芳香性を有する物質を含有する透明な液体と、該液体中に浸漬した吸水性樹脂からなる粒状体とからなる消臭及び／又は芳香機能を備えた空気清浄剤に関するものである。
【背景技術】
【０００２】
室内、トイレ、車内等で使用される空気清浄剤として、吸水性樹脂に消臭性及び／又は芳香性を含有する液体を吸収、膨潤させたものが提案され、実用化されている（特許文献１〜３参照）。
この種の空気清浄剤は、その本来の機能である消臭及び／又は芳香機能は備えているものの、一部を除きデザイン性に乏しいものが多く、居住空間においては、設置場所に困るという問題があった。
また、空気清浄剤の存在をできるだけ目立たなくするために、薬剤に無色透明の材料を用いたものも存在するが、薬剤の残存量が視認しにくいという問題があった。
【特許文献１】特表２００３−５２６４７６号公報
【特許文献２】特開平１０−３２８２８７号公報
【特許文献３】特開平５−２２０２０６号公報
【発明の開示】
【発明が解決しようとする課題】
【０００３】
本発明は、上記従来の空気清浄剤の有する問題点に鑑み、デザイン性に優れるとともに、薬剤の残存量を視認しやすい空気清浄剤を提供することを目的とする。
【課題を解決するための手段】
【０００４】
上記目的を達成するため、本発明の空気清浄剤は、消臭性及び／又は芳香性を有する物質を含有する透明な液体と、該液体中に浸漬した吸水性樹脂からなる粒状体とからなる空気清浄剤であって、前記吸水性樹脂からなる粒状体を、前記液体と同色の透明な粒状体と、前記液体とは異なる色の粒状体とを、所定の割合で混合してなることを特徴とする。
【０００５】
この場合において、前記液体と、該液体と同色の粒状体とを、無色とすることができる。
【発明の効果】
【０００６】
本発明の空気清浄剤によれば、消臭性及び／又は芳香性を有する物質を含有する透明な液体と、該液体中に浸漬した吸水性樹脂からなる粒状体とからなる空気清浄剤であって、前記吸水性樹脂からなる粒状体を、前記液体と同色の透明な粒状体と、前記液体とは異なる色の粒状体とを、所定の割合で混合してなることから、この状態では、液体と同色の透明な粒状体と、液体とは異なる色の粒状体とが、所定の割合で混合、分散されることになるが、吸水性樹脂からなる粒状体のうち液体と同色の透明な粒状体は、透明な液体中に浸漬した状態では、液体中に溶け込んで視認されず、このため、液体とは異なる色の粒状体のみが液体中に浮かんだ状態で視認されることになる。
これにより、デザイン性に優れるとともに、液体とは異なる色の粒状体によって、薬剤の残存量を視認しやすい空気清浄剤を提供することができる。
【発明を実施するための最良の形態】
【０００７】
以下、本発明の空気清浄剤の実施の形態を、図面に基づいて説明する。
【実施例１】
【０００８】
図１に、本発明の空気清浄剤の一実施例を示す。
この空気清浄剤は、消臭性及び／又は芳香性を有する物質を含有する透明な液体２と、この液体２中に浸漬した吸水性樹脂からなる粒状体１ａ、１ｂとからなる空気清浄剤であって、吸水性樹脂からなる粒状体１ａ、１ｂを、液体２と同色の透明な粒状体１ａと、液体とは異なる色の粒状体１ｂとを、所定の割合で混合してなるものである。
【０００９】
ところで、この空気清浄剤は、上記状態では、吸水性樹脂からなる粒状体１ａ、１ｂのみに着目すると、図１（ａ）に示すように、液体２と同色の透明な粒状体１ａと、液体２とは異なる色の粒状体１ｂとが、所定の割合で混合、分散されることになるが、実際には、図１（ｂ）に示すように、吸水性樹脂からなる粒状体１ａ、１ｂのうち液体と同色の透明な粒状体１ａは、透明な液体２中に浸漬した状態では、液体中に溶け込んで視認されず、このため、液体２とは異なる色の粒状体１ｂのみが液体２中に浮かんだ状態で視認されることになる。
これにより、デザイン性に優れるとともに、液体２とは異なる色の粒状体１ｂによって、薬剤の残存量を視認しやすい空気清浄剤を提供することができるものとなる。
【００１０】
この場合において、液体２と、この液体２と同色の粒状体１ａとは、無色とするほか、任意の色に着色することができる。
【００１１】
また、液体２とは異なる色の粒状体１ｂは、任意の１色に着色した粒状体１ｂを用いるほか、多色、例えば、液体２及び粒状体１ａを無色とした場合には、赤色系、黄色系及び青色系の３種類の色にそれぞれ着色した粒状体１ｂを用いることができる。
【００１２】
なお、液体２と同色の透明な粒状体１ａと、液体２とは異なる色の粒状体１ｂとの混合割合は、特に限定されるものではないが、１：１〜１０：１程度の範囲で任意に設定することができる。
また、吸水性樹脂からなる粒状体１ａ、１ｂと、液体２との割合も、特に限定されるものではないが、少なくとも当初は、吸水性樹脂からなる粒状体１ａ、１ｂが、液体２中に浸漬された状態となるようにすることが望ましい。
【００１３】
粒状体１ａ、１ｂを構成する吸水性樹脂としては、従来公知の吸水性樹脂、例えば、特に限定されるものではないが、デンプン又はセルロースとカルボキシル基、スルホン酸基等の親水基を含有する水溶性単量体及び／又は加水分解により水溶性となる単量体と、架橋剤とを必須成分として重合させ、必要により加水分解を行うことにより得られる吸水性樹脂やデンプン−アクリロニトリルグラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、ビニルエステル−不飽和カルボン酸共重合体ケン化物、架橋されたポリアクリル酸（塩）、架橋されたアクリル酸−アクリル酸エステル共重合体、架橋されたイソブチレン−無水マレイン酸共重合体及び架橋されたカルボン酸変性ポリビニルアルコール、自己架橋型ポリアクリル酸塩等を挙げることができる。
【００１４】
吸水性樹脂の質量に対する液体（消臭性及び／又は芳香性を有する物質を含有する液体２を含む。）の吸収倍率は、１０〜１０００倍程度、好ましくは、１００〜１０００倍である。
また、吸水性樹脂は、液体を吸収、膨潤させた状態で、数ｍｍ〜２０ｍｍ程度のものが好ましい。
【００１５】
また、吸水性樹脂中には、着色のための顔料（蛍光性顔料や蓄光顔料を含む。）や染料のほか、必要に応じて他の添加物、例えば、老化防止剤、紫外線吸収剤、防腐剤、界面活性剤、可塑剤、充填剤等を添加することができる。
【００１６】
消臭性及び／又は芳香性を有する物質を含有する透明な液体２には、従来公知の消臭性及び／又は芳香性を有する物質、例えば、特に限定されるものではないが、消臭性を有する物質としては、イネ、松、ヒノキ、笹等の植物からの抽出物質、酸又はアルカリ性の水性液、粉末活性炭等を挙げることができ、芳香性を有する物質としては、合成香料や天然香料等を挙げることができる。
これらは水溶性のものであればその水溶液、非水溶性のものであれば水と乳化剤、必要に応じて、溶剤等からなる水性エマルジョンを用いることができる。
【００１７】
また、消臭性及び／又は芳香性を有する物質を含有する透明な液体２には、着色のための顔料（蛍光性顔料や蓄光顔料を含む。）や染料のほか、必要に応じて他の添加物、例えば、老化防止剤、紫外線吸収剤、防腐剤、界面活性剤、可塑剤、充填剤等を添加することができる。
【００１８】
以上、本発明の空気清浄剤について、その実施例に基づいて説明したが、本発明は上記実施例に記載した構成に限定されるものではなく、その趣旨を逸脱しない範囲において適宜その構成を変更することができるものである。
【産業上の利用可能性】
【００１９】
本発明の空気清浄剤は、デザイン性に優れるとともに、薬剤の残存量を視認しやすい特性を有していることから、デザイン性に優れたものが要請される居住空間に設置する空気清浄剤の用途に好適に用いることができるほか、室内、トイレ、車内等で使用される空気清浄剤の用途に広く用いることができる。
【図面の簡単な説明】
【００２０】
【図１】本発明の空気清浄剤の一実施例を示す説明図である。
【符号の説明】
【００２１】
１ａ  液体と同色の透明な粒状体
１ｂ  液体とは異なる色の粒状体
２    液体
【図１】
2008043403.tif 000003